(57)【要約】【目的】  自動倉庫のラック棚に載置した際に下部デッキボードの変形を小さくするパレットを提供する。【構成】  長手方向（間口方向）において桁と桁とを連結する下部デッキボードの下面に平行な複数の補強リブを設け、桁内部の下部デッキボードの内面には、デッキボードの側面に対して平行で直交する補強リブを設け、前記直交する補強リブのうち長手方向（間口方向）において開口するフォーク差込口側に最も近い補強リブと桁の周壁で囲まれた範囲を補強部となし、前記補強部を、前記桁間のデッキボード下面に設けた補強リブの延長方向に補強リブを設けるとともに、桁の周壁に接続する部分は溶着可能なように桁の周壁と同じ高さとなし、さらに、デッキボードの肉厚をデッキボードの他の部分の肉厚よりも厚くした肉厚部とすることによって形成したことを特徴とする。【選択図】        図２
2006248542.tif 000002
【特許請求の範囲】
【請求項１】
上部デッキボードと下部デッキボードを四隅の桁、その中間部の桁及び中央部の桁で連結し、前記桁と上下部デッキボードで囲まれた空隙をフォーク差込口とした合成樹脂製パレットであって、長手方向（間口方向）において桁と桁とを連結する下部デッキボードの下面に平行な複数の補強リブを設け、桁内部の下部デッキボードの内面には、デッキボードの側面に対して平行で直交する補強リブを設け、前記直交する補強リブのうち長手方向（間口方向）において開口するフォーク差込口側に最も近い補強リブと桁の周壁で囲まれた範囲を補強部となし、前記補強部を前記桁間のデッキボード下面に設けた補強リブの延長方向に補強リブを設けるとともに、桁の周壁に接続する部分は溶着可能なように周壁と同じ高さとなし、さらに、デッキボードの肉厚をデッキボードの他の部分の肉厚よりも厚くした肉厚部とすることによって形成したことを特徴とする合成樹脂製パレット。
【請求項２】
下部デッキボードの四隅の桁とその中間部の桁及び中央部の桁によって囲まれた部分を開口部としたことを特徴とする請求項１に記載の合成樹脂製パレット。
【請求項３】
長手方向（間口方向）において桁と桁とを連結するデッキボードの下面に設けた平行な複数の補強リブは、短手方向（奥行方向）に設けた補強リブによって格子状に形成されていることを特徴とする請求項１又は２に記載の合成樹脂製パレット。
【発明の詳細な説明】
【技術分野】
【０００１】
この発明は荷物の保管、運搬に使用するフォークリフト用の合成樹脂製パレットに係り、詳しくは、自動倉庫のラック棚のパレット受部材に載置して格納される合成樹脂製パレットに関する。
【背景技術】
【０００２】
近年、荷物の保管、運搬に使用されるフォークリフト用パレットでは、合成樹脂製パレットが多く使用されているが、木製パレットと比較すると変形し易いという問題がある。図８は、自動倉庫のラック棚に載置されたパレット１を示す。パレット１は、上部デッキボード３と下部デッキボード４とを両端部の桁５及びその中間に設けた中間桁６で連結し、前記桁と上下デッキボードで囲まれた空隙をフォーク差込口７としたものである。
【０００３】
そして、上部デッキボード３及び下部デッキボード４の下面には、変形を防止するために縦横に補強リブを設けてなる。前記桁５と中間桁６は、上下端面が上部デッキボード３及び下部デッキボード４によって閉じられており、全体として閉じた中空構造に形成されている。
【０００４】
立体自動倉庫の棚装置１０は、図８に示すように、所定の間隔で複数立設された支柱１１と、隣り合う支柱１１間を上下方向に沿って所定の間隔をあけて取り付けられ且つパレットを支持するパレット受部材１２を備えてなる。前記パレット受部材１２がラック棚を構成し、荷物８を載置したパレット１を前記パレット受部材１２に載置して格納すると、パレット１には載置した荷物８によって矢印の方向に荷重がかかる。パレット１は、加重によって上部デッキボード３及び下部デッキボード４が一点鎖線のように変形する。
【０００５】
そこで、パレットの変形量を小さくするために、二方差しパレットでは、桁を前記パレット受部材１２に掛け渡して載置させ、また四方差しパレットでは、間口方向の寸法と奥行方向の寸法のどちらか小さい方をパレット受部材１２に掛け渡して載置させている。
【０００６】
しかしながら、パレットの方向を変えて載置するだけでは、変形を防止することはできなかった。デッキボードが変形すると荷物を安定した状態で載置することができないばかりでなく、荷崩れのおそれもある。また、変形状態で長時間保持しておくと、パレットに永久変形が生じることになる。このようなデッキボードの変形を防止するパレットとして、特開２００１−２１３４３２号公報に記載のパレットがある。
【特許文献１】特開２００１−２１３４３２号公報
【発明の開示】
【発明が解決しようとする課題】
【０００７】
前記公報記載のパレットは、上部デッキボードの内側面に、隣り合う桁の角部で連結する縦横の補強リブによって第１の方形状補強リブを形成し、さらに、桁内に設けた連結リブによって桁の壁を介して縦横に補強リブを連結することによって第２の方形状補強リブを形成するようにしたものである。
【０００８】
前記公報記載のパレットは、上部デッキボードと桁の連結部を補強することによって、デッキボードの変形を防止しようとするものであるが、デッキボードの補強のみでは必ずしも変形を充分防止することはできない。
【０００９】
また、従来の四方差しパレットでは、ハンドリフト（手動による小型のフォークリフト）やパレットトラックの使用を可能にするために、下部デッキボード４に四隅の桁５とその中間部の桁６及び中央部の桁によって囲まれた部分に比較的大きな開口部が設けられることがある。このように、下部デッキボードに大きな開口部を設ける構造のパレットでは、荷重による変形が一層大きくなる。
【００１０】
この発明は、下部デッキボードに大きな開口部を設けたパレットにおいても、荷重による変形量を小さくすることができる合成樹脂製パレットを提供することを目的とする。
【課題を解決するための手段】
【００１１】
この発明は、上記目的を達成するために次のような構成とした。即ち、この発明に係る合成樹脂製パレットは、上部デッキボードと下部デッキボードを四隅の桁、その中間部の桁及び中央部の桁で連結し、前記桁と上下部デッキボードで囲まれた空隙をフォーク差込口とした合成樹脂製パレットであって、長手方向（間口方向）において桁と桁とを連結する下部デッキボードの下面に平行な複数の補強リブを設け、桁内部の下部デッキボードの内面には、デッキボードの側面に対して平行で直交する補強リブを設け、前記直交する補強リブのうち長手方向（間口方向）において開口するフォーク差込口側に最も近い補強リブと桁の周壁で囲まれた範囲を補強部となし、前記補強部を、前記桁間のデッキボード下面に設けた補強リブの延長方向に補強リブを設けるとともに、桁の周壁に接続する部分は溶着可能なように桁の周壁と同じ高さとなし、さらに、デッキボードの肉厚をデッキボードの他の部分の肉厚よりも厚くした肉厚部とすることによって形成したことを特徴とする。
前記下部デッキボードの四隅の桁とその中間部の桁及び中央部の桁によって囲まれた部分を開口部とすることができる。また、長手方向（間口方向）において桁と桁とを連結するデッキボードの下面に設けた平行な複数の補強リブは、短手方向（奥行方向）に設けた補強リブによって格子状に形成することが好ましい。
【発明の効果】
【００１２】
この発明の合成樹脂製パレットは、長手方向（間口方向）において開口するフォーク差込口に最も近い桁内部の補強リブと桁の周壁で囲まれた範囲を補強部となし、前記補強部を、桁間のデッキボード下面に設けた補強リブの延長方向に補強リブを設け、且つ肉厚を厚くする厚肉部とすることによって形成したから、デッキボードの変形とともに桁の変形も防止される。従って、荷物を安定して自動倉庫のラック棚に載置することができる。
【発明を実施するための最良の形態】
【００１３】
以下に、この発明の実施形態を図面に基づいて詳細に説明する。図１はパレット２０の一部を示す正面図である。パレット２０は、上部デッキボード２１と下部デッキボード２２とを四隅の桁２３とその中間に設けた桁２４及び中央部に設けた桁２５で連結してなり、上下デッキボード２１、２２と桁２３、２４で囲まれた空隙をフォーク差込口２６とした四方差しパレットである。上記パレットは予め分割成形した上部品Ｍと下部品Ｎとを桁の中間において突き合わせ溶着してなり、桁２３，２４は中空構造とされている。
【００１４】
図２及び図３は、下部品の４分の１の大きさを示し、ハンドリフト（手動による小型のフォークリフト）やパレットトラックの使用を可能にするために、下部デッキボード２２の四隅の桁２３とその中間部の桁２４及び中央部の桁２５によって囲まれた部分は開口部３０とされている。
【００１５】
図２に示すように、長手方向（間口方向）Ｘと短手方向（奥行方向）Ｙとすると、各桁を連結する下部デッキボード２２の下面には、長手方向（間口方向）Ｘには、長手方向の補強リブが、短手方向（奥行方向）Ｙには、短手方向の補強リブがそれぞれ側面に対して平行に設けられている。
【００１６】
さらに詳述すると、下部デッキボード２２の長手方向（間口方向）Ｘにおける四隅の桁２３と中間部の桁２４ａを連結するデッキボード２２ａと、中間部の桁２４ｂと中央部の桁２５とを連結するデッキボード２２ｂは、上面（パレットの内側となる面）が湾曲して形成されている。
【００１７】
前記デッキボード２２ａの下面には、平行な補強リブ３１，３２が格子状に設けられており、図示する実施形態では、補強リブ３１が３本，補強リブ３２が２本設けられている。また、前記デッキボード２２ｂの下面には、平行な補強リブ３３，３４が格子状に設けられており、図示する実施形態では、補強リブ３３が１５本、補強リブ３４が２本設けられている。
【００１８】
前記補強リブ３１，３２及び補強リブ３３，３４の下面は、デッキボード２２ａ及びデッキボード２２ｂの接地面と同一面に形成されており、従って、デッキボード２２ａ及びデッキボード２２ｂの湾曲に合わせて、それぞれの補強リブの高さが異なる（図４及び図６参照）。
【００１９】
一方、下部デッキボード２２の短手方向（奥行方向）Ｙにおける四隅の桁２３と中間部の桁２４ｂを連結するデッキボード２２ｃと、中間部の桁２４ａと中央部の桁２５とを連結するデッキボード２２ｄは、デッキボード２２ａ及びデッキボード２２ｂと同様に上面（パレットの内側となる面）が湾曲して形成されている。
【００２０】
前記デッキボード２２ｃの下面には、平行な補強リブ３６，３７が格子状に設けられており、図示する実施形態では、補強リブ３６が６本，補強リブ３７が２本設けられている。また、前記デッキボード２２ｄの下面には、平行な補強リブ３８，３９が格子状に設けられており、図示する実施形態では、補強リブ３８が７本、補強リブ３９が２本設けられている。
【００２１】
前記補強リブ３６，３７及び補強リブ３８，３９の下面は、デッキボード２２ｃ及びデッキボード２２ｄの接地面と同一面に形成されており、従って、デッキボード２２ｃ及びデッキボード２２ｄの湾曲に合わせて、それぞれの補強リブの高さが異なる。
【００２２】
次に、各桁の内部構造について説明する。四隅の桁２３，中間部の桁２４ａ、２４ｂ及び中央部の桁２５の内部には、デッキボードの側面に対して平行で且つ直交する補強リブ４０，４１，４２，及び４３が設けられており、少なくとも短手方向（奥行方向）Ｙの補強リブ４０ａ，４１ａ，４２ａ，及び４３ａは、平行な複数の補強リブからなり、図示する実施形態では、それぞれ３本ずつ設けられている。
【００２３】
そして、長手方向（間口方向）Ｙにおいて開口するフォーク差込口２６側に最も近い補強リブ４０ａ，４１ａ，４２ａ及び４３ａと桁の周壁で囲まれた範囲を補強部Ｈとする。前記補強部Ｈは、上記補強リブ３１、３３の延長方向に設けた補強リブ４５，４６と肉厚部４８によって形成されている。即ち、前記補強部Ｈは、補強リブ４５，４６と補強リブ３１、３３とを桁の周壁を介して連結することによって形成している。
【００２４】
また、前記補強リブ４５，４６のうち桁の周壁に接続する部分は、溶着が可能なように周壁と同じ高さの溶着リブ４５ａ，４６ａとなっている。また、桁内部における補強リブ４０，４１，４２及び４３の交差する部分では、桁の周壁と同じ高さの溶着可能な溶着リブとなっている。
【００２５】
さらに、この発明では、デッキボードの変形量を小さくするために、桁の内部のデッキボードに肉厚部４８を設けることによって補強部Ｈを形成し、桁とデッキボードの連結部を補強した。即ち、長手方向（間口方向）Ｙにおいて開口するフォーク差込口２６側に最も近い補強リブ４０ａ，４１ａ，４２ａ及び４３ａと桁の周壁で囲まれた範囲のデッキボードの肉厚をデッキボードの他の部分の肉厚よりも厚くした肉厚部４８とした。上記補強リブの構成と相まって、桁とデッキボードとの連結を堅牢にしてデッキボードの変形を小さくしようとするものである。
【００２６】
前記厚肉部４８の肉厚Ｔは、図５に示すように、デッキボードの肉厚ｔの１．５〜２倍（５〜６．５ｍｍ）とすることが好ましい。このように、桁内部におけるデッキボードのフォーク差込口側の一定範囲を厚肉部４８とすることによって、デッキボードの変形が防止され支柱壁との直角を保つことができる。デッキボードの変形が防止されれば、桁の変形も防止されるから、全体としても変形量を小さく抑えることができる。
【００２７】
前記厚肉部４８は、中空の桁の内側におけるデッキボードに一定範囲において形成したが、桁との連結部分のうち、フォーク差込口に面する側のデッキボードにも一定範囲において他の部分よりも厚くした肉厚部を形成してもよい。この場合にはデッキボードの変形をさらに小さくすることができる。
【００２８】
また、上記実施形態では、補強部Ｈを構成する肉厚部は、長手方向（間口方向）Ｙにおいて開口するフォーク差込口２６側に最も近い補強リブ４０ａ，４１ａ，４２ａ及び４３ａと桁の周壁で囲まれた範囲のデッキボードに形成したが、これに限定されるものではなく、直交する側、即ち、短手方向（奥行き方向）Ｘにおいて開口するフォーク差込口側に面する桁内のデッキボードにも形成する構成としてもよい。
【図面の簡単な説明】
【００２９】
【図１】パレットの一部を示す正面図である。
【図２】図１のＡ−Ａ線断面であって、下部デッキボード側の４分の１を示す断面図である。
【図３】図２の底面図である。
【図４】図２のＢ−Ｂ線断面図である。
【図５】図２のＣ−Ｃ線断面図である。
【図６】図２のＤ−Ｄ線断面図である。
【図７】図２のＥ−Ｅ線断面図である。
【図８】自動倉庫におけるパレットの載置状態を示す説明図である。
【符号の説明】
【００３０】
２０：パレット
２１：上部デッキボード  
２２：下部デッキボード
２３：四隅の桁  
２４：中間部の桁  
２５：中央部の桁  
２６：フォーク差込口
３０：開口部
３１，３２，３３，３４：補強リブ
３６，３７，３８，３９：補強リブ
４０，４１，４２，４３：補強リブ  
４５，４６：補強リブ  
４８：肉厚部
【図１】
2006248542.tif 000003
【図２】
2006248542.tif 000004
【図３】
2006248542.tif 000005
【図４】
2006248542.tif 000006
【図５】
2006248542.tif 000007
【図６】
2006248542.tif 000008
【図７】
2006248542.tif 000009
【図８】
2006248542.tif 000010